(57)【要約】【課題】ゴミ箱をゴミの分別収集に適したものにすること。【解決手段】逆円錐台の形状をした、ゴミ箱本体１０ａの中央部に位置する、支柱線部を基本に、複数の部分に縦区分したゴミ収納容器を複数設ける。その複数縦区分した、ゴミ収納容器に扉及び扉開閉止めを備える。さらに、ゴミ収納容器の内壁上部と扉の内壁上部にゴミ袋止めを設け、さらに、各扉の屋根部に蓋付きのゴミ投入口を備えた、ゴミ箱本体１０ａと回転式の台座４３ｄとを組合せることにより、水平回転式のゴミ箱になる。水平回転式ゴミ箱であるので、必要とするゴミ箱のゴミ収納容器を任意の位置にすることができる。【選択図】      図１８
2006111379.tif 000002
【特許請求の範囲】
【請求項１】
ゴミ箱本体を複数の部分に区分し、区分したそれぞれのゴミ収納容器に扉及び扉開閉止めを備え、さらに各収納容器内の側壁上部と扉の内側上壁部にゴミ袋止めを設け、各扉の屋根部に蓋付きのゴミ投入口を備えていることを特徴とするゴミ箱。
【請求項２】
ゴミ箱本体を縦方向に複数部分に区分し、縦方向に区分したゴミ収納容器を、さらに横方向に複数区分する収納容器と区分しない収納容器を設け、各収納容器には扉及び扉開閉止めを備え、さらに各収納容器内の側壁上部と扉の内側上壁部にゴミ袋止めを設け、各扉の上部に蓋付きのゴミ投入口を備えていることを特徴とするゴミ箱。
【請求項３】
請求項１、請求項２に記載したゴミ箱に台座を備え、この台座が回転式で回転止を備えたことを特徴とするゴミ箱。
【請求項４】
請求項１、請求項２に記載したゴミ箱であって台座を備え、この台座が斜面地に合わせて水平調節を備え、底部が可逆的クッション材を備え、さらに地面固着具と固着剤を備えたことを特徴とするゴミ箱。
【請求項５】
請求項１、請求項２に記載したゴミ箱に台座を備え、この台座が水タンク式である、ことを特徴とする、ゴミ箱。
【請求項６】
請求項４、請求項５に記載したゴミ箱の台座であって、この台座の天場に回転板ジョイントを備えることにより、ゴミ箱本体と台座とが固着後に回転式となるとともに、回転止めを備えたことを特徴とするゴミ箱。
【請求項７】
請求項１、請求項２に記載のゴミ箱であって、このゴミ箱の底部に支柱棒を備えたことを特徴とするゴミ箱。
【請求項８】
請求項７に記載のゴミ箱であって台座を備え、この台座が斜面地に合わせて水平調節を備え底部が可逆的クッション材を備え地面固着具と固着剤を備え、さらに回転自在の支柱受孔を設ける事により回転式で回転止めを備えていることを特徴とするゴミ箱。
【請求項９】
請求項７に記載のゴミ箱であって台座を備え、この台座が水タンク式で支柱受孔を備える事により回転式で回転止めを備えた事を特徴とするゴミ箱。
【請求項１０】
請求項１、請求項２に記載のゴミ箱であって、このゴミ箱の中央部に回転自在の支柱受孔を設けた事を特徴とするゴミ箱。
【請求項１１】
請求項１０に記載のゴミ箱であって台座を備え、この台座が斜面地に合わせて水平調節を備え底部が可逆的クッション材を備え地面固着具と固着剤を備え、さらに天場の中央部に支柱棒を設ける事により、回転式で回転止めを備えていることを特徴とするゴミ箱。
【請求項１２】
請求項１０に記載のゴミ箱であって台座を備え、この台座が水タンク式で中央部に支柱棒を備える事により回転式で回転止めを備えていることを特徴とするゴミ箱。
【発明の詳細な説明】
【技術分野】
【０００１】
本願発明はゴミ箱に関し、特にゴミ箱をゴミの分別収集に適したものにする技術に関するものである。
【背景技術】
【０００２】
従来のゴミ箱は、図１に示すようなものである。即ちゴミの収納箇所が一体型になった、単一の蓋付き逆円錐台の形状で出来ている。このためゴミ箱には、色々なゴミが一緒に入っているので、分別収集日には、ゴミ箱に入っているゴミを選り分けて指定ゴミ袋に移すので、かなり手間がかかりました。又、空のゴミ箱は、強風時に飛ばされたり、転倒するという欠点がありました。
【特許文献１】特願平９−２１３８２１号広報
【特許文献２】実願平７−１４０３６号広報
【特許文献３】特開平６−１２２４４７号広報
【発明の開示】
【発明が解決しようとする課題】
【０００３】
図１に示した従来のゴミ箱においては、蓋付き逆円錐台の形状を取っており、色々なゴミが一緒に入っているので、ゴミの分別収納に適さないという問題がありました。又、ゴミが殆ど入っていない時は強風で転倒しり、さらに生ゴミが入っている時などは犬、猫の標的になり、転倒後蓋が開き散乱、又、生ゴミを食い荒らされたと言う被害がありました。この発明が解決しょうとする課題は、家庭のどのような場所でも、たとえ斜めのスペースでも転倒することなく直立収納姿勢を保ち、分別収納が容易に出きる、ゴミ箱を提供することであります。
【課題を解決するための手段】
【０００４】
上記課題を解決するため、本願の第１の発明の構成は、請求項１記載のとおりである。上記第１の発明の構成に係るゴミ箱は、ゴミ箱本体を複数の部分に区分し、区分したそれぞれのゴミ収納容器に扉及び扉開閉止めを備え、さらに各収納容器内の側壁上部と扉の内側上壁部にゴミ袋止めを設け、各扉の屋根部に蓋付きのゴミ投入口を備えていることを特徴とするゴミ箱であるので、数カ所あるゴミ収納容器が、それどれ満載になった場合でもゴミ箱扉を開閉するだけで、満載ゴミ袋と空ゴミ袋との交換が容易にできる。又、ゴミ投入口の蓋はなくても良い。
【０００５】
さらに、本願の第２の発明の構成は、請求項２記載のとおりである。上記第２の発明の構成に係るゴミ箱は、ゴミ箱本体を縦方向に複数部分に区分し、縦方向に区分したゴミ収納容器を、さらに横方向に複数区分する収納容器と区分しない収納容器を設け、各収納容器には扉及び扉開閉止めを備え、さらに各収納容器内の側壁上部と扉の内側上壁部にゴミ袋止めを設け、各扉の上部に蓋付きのゴミ投入口を備えていることを特徴とするゴミ箱であるので、小さい収納容器は、小さいゴミなどを収納すの適しており、又、縦方向一体型の大きい収納容器を備えるとにより、プラスチック製品のゴミなど、比較的大きいが軽いゴミなどは、収納容量の大きい方が適している。
【０００６】
さらに、本願の第３の発明の構成は、請求項３記載のとおりである。上記第３の発明の構成により、上記第１、第２の発明の構成による作用とともに、上記第１、第２に記載したゴミ箱に台座を備え、この台座が回転式で回転止を備えたことを特徴とするゴミ箱であるので、ゴミ投入口を任意の位置へ回転せしめ、停止させて置く事が出来る。又、回転式の台座に回転止めを備えているが、無くても良い。又、回転式の台座とゴミ箱本体との組み合わせ構成は一体型でも良いし、別々型でも良い。又、回転式の台座底部に地面との固着具及び固着剤を備えても良い。
【０００７】
さらに、本願の第４の発明の構成は、請求項４記載のとおりである。上記第４の発明の構成により、上記第1、第2の発明の構成による作用とともに、上記第1、第2に記載したゴミ箱であって台座を備え、この台座が斜面地に合わせて水平調節を備え、底部が可逆的クッション材を備え、さらに地面固着具と固着剤を備えたことを特徴とするゴミ箱であるので、斜面地の場所にゴミ箱を設置しても転倒することがないゴミ箱である。
【０００８】
さらに、本願の第５の発明の構成は、請求項５記載のとおりである。上記第５の発明の構成により、上記第1、第2の発明の構成による作用とともに、上記第1、第2に記載したゴミ箱に台座を備え、この台座が水タンク式である、ことを特徴とするゴミ箱であるので、ゴミ箱が空の状態の時でも、少し程度の外力では転倒しないゴミ箱である。
【０００９】
さらに、本願の第６の発明の構成は、請求項６記載のとおりである。上記第６の発明の構成により、上記第4、第5の発明の構成による作用とともに、上記第４、第５に記載したゴミ箱の台座であって、この台座の天場に回転板ジョイントを備えることにより、ゴミ箱本体と台座とが固着後に回転式となるとともに、回転止めを備えたことを特徴とするゴミ箱であるので、任意のゴミ投入口を回転移動させて、必要とするゴミ投入口の向きを合わせる、ことができる。又、台座に回転止めを備えているが、無くても良い。又、台座とゴミ箱本体との組み合わせ構成は一体型でも良いし、別々型でも良い。
【００１０】
さらに、本願の第７の発明の構成は、請求項７記載のとおりである。上記第７の発明の構成により、上記第1、第2の発明の構成による作用ともに、上記第1、第2に記載のゴミ箱であって、このゴミ箱の底部に支柱棒を備えたことを特徴とするゴミ箱であるので、ゴミ箱本体と台座との組合せが容易になり、ゴミ箱本体の底部の強度が増す。又、ゴミ箱本体の底部と支柱棒とは、一体型で構成するほうが良いが、別々の構成で組み合わせても良い。
【００１１】
さらに、本願の第８の発明の構成は、請求項８記載のとおりである。上記第８の発明の構成により、上記第7の構成の作用とともに、上記第7に記載のゴミ箱であって台座を備え、この台座が斜面地に合わせて水平調節を備え底部が可逆的クッション材を備え地面固着具と固着剤を備え、さらに回転自在の支柱受孔を設ける事により回転式で回転止めを備えていることを特徴とするゴミ箱である。又、回転止めは無くても良い。
【００１２】
さらに、本願の第９の発明の構成は、請求項９記載のとおりである。上記第９の発明の構成により、上記第7の構成の作用とともに、上記第7に記載のゴミ箱であって台座を備え、この台座が水タンク式で支柱受孔を備える事により回転式で回転止めを備えた事を特徴とするゴミ箱であるので、安定性に優れた、回転式で回転止めを備えたゴミ箱が出きる。又、回転止めは無くても良い。
【００１３】
さらに、本願の第１０の発明の構成は、請求項１０記載のとおりである。上記第１０の発明の構成により、上記第1、第2の構成の作用とともに、上記第1、第2に記載のゴミ箱であって、このゴミ箱の中央部に回転自在の支柱受孔を設けた事を特徴とするゴミ箱であるので、ゴミ箱本体と固着する台座との組合せが容易になり、ゴミ箱本体底部の強度が増すゴミ箱が出きる。
【００１４】
さらに、本願の第１１の発明の構成は、請求項１１記載のとおりである。上記第11の発明の構成により、上記第10の構成の作用とともに、上記第10に記載のゴミ箱であって台座を備え、この台座が斜面地に合わせて水平調節を備え底部が可逆的クッション材を備え地面固着具と固着剤を備え、さらに天場の中央部に支柱棒を設ける事により、回転式で回転止めを備えていることを特徴とするゴミ箱である。又、回転止めは無くても良い。
【００１５】
さらに、本願の第１２の発明の構成は、請求項１２記載のとおりである。上記第１２の発明の構成により、上記第10の構成の作用とともに、上記第10に記載のゴミ箱であって台座を備え、この台座が水タンク式で中央部に支柱棒を備える事により回転式で回転止めを備えていることを特徴とするゴミ箱であるので、安定性に優れた、回転式で回転止めを備えているゴミ箱ができる。又、回転止めは無くても良い。
【発明の効果】
【００１６】
本願第１の発明に係るゴミ箱は、複数の部分に区分された、ゴミ箱であるので、ゴミを種類別に分別収納するのが容易である。又、分別用のゴミ袋を最初から各ゴミ収納容器に取りつけているので、ゴミが一杯になったら、そのままゴミ袋をゴミ箱から取りだして収集場所に出すことができる。これまでのように溜まったゴミをゴミ箱より、種類別に取り出して、分別用のゴミ袋へゴミを詰めかえる必要はない。又、ゴミの投入は、片手で投入口の上蓋を開けるだけで、ゴミを投入することができる。さらに、上蓋の一部は支持具で固定されているので風に飛ばされる心配はなく、雨水がはいり難い形状である。さらに、ゴミ袋は容器の中にあるゴミ袋止めに取り付けるので、ゴミ箱よりゴミ袋の端が外にはみ出る事がない。又、取り出しは、ゴミ袋止めよりゴミ袋を取外し、扉を開けるだけで簡単にゴミ袋ごと取り出せる。単純な作業である。
【００１７】
さらに、本願の第2の発明によれば、上記第1の発明の効果に加え、ゴミ箱本体を縦長にすることで、収拾能力が大きくなる利点がある。例えば、縦長の大きい収納容器だと、プラスチックゴミなど、軽いが嵩張る物を一定期間保管するのに適している。又、縦長にした収納容器を、さらに横に区画することにより、小さいが収納容器を多数増やすと言う利点がある。例えば、小さい乾電池などを捨てるのに適している。このように排出ゴミの分別に適した環境をつくる事により、ゴミの分別が楽しく、分別収納容器のゴミ投入口にゴミを放り込むだけで、指定ゴミ袋に詰め込む事ができる。
【００１８】
さらに、本願の第3の発明によれば、上記第1、第2の発明の効果とともに、ゴミ箱本体を回転式の台座に固着することによって、ゴミ箱本体は回転し任意のゴミ投入口に合わせて、ゴミを投入することができる。又、台座を地面又は建物に固着することによりゴミ箱は転倒しない、安定性のあるゴミ箱を提供することができる。
【００１９】
さらに、本願の第４の発明によれば、上記第１、第２の発明の効果とともに、ゴミ箱本体を地面固着具及び固着剤を備えた、台座に固着することによって、少々の斜面地でも転落したり、滑り落ることがない。又、強風時でも固定しているので、転倒する事がなく飛ばされることもないゴミ箱である。さらに、水平調節できる機能を持つ台座であるので斜面地でもゴミ箱の傾きは起こらない、安定性のあるゴミ箱を提供することができる。
【００２０】
さらに、本願の第５の発明によれば、上記第１、第２の発明の効果とともに、ゴミ箱本体を水タンク式（タンク内は水で満水）の台座と組合せることにより、安易な転倒防止に役立ち、又、室内に置く場合でも床に傷を付けることなく設置できる。さらに、水タンクの底部に接着具を使用する事により転倒防止が完全なものになり、安定性のあるゴミ箱を提供することができる。
【００２１】
さらに、本願の第６の発明によれば、上記第４、第５の発明の効果とともに、第4、第5発明の台座の天場に回転板ジョイントを設け、さらに、台座の外壁部に回転止め具を備える事により、ゴミ投入口を任意の位置まで回転させて、止めて置くことの出来る、ゴミ箱を提供することができる。
【００２２】
さらに、本願の第７の発明によれば、上記第１、第２の効果とともに、ゴミ箱本体の底部に支柱棒を備える事により、後述する、第８発明の台座との組合せが可能になる。
【００２３】
さらに、本願の第８の発明にによれば、上記第７の発明のゴミ箱本体と回転自在の支柱受け孔を設けている台座とを組合せることにより、ゴミ箱本体支柱棒と台座ベアリングとが圧着するので、ブレが少ない安定性のあるゴミ箱本体の回転を呈することができる。さらに、固着接地部を設けることにより、転倒しないゴミ箱を提供することができる。
【００２４】
さらに、本願の第９の発明によれば、上記第７の発明のゴミ箱本体と回転自在の支持棒受けを備えた、水タンク式の台座とを組合せることにより、どの場所へでも容易に移動でき安定性のある、ブレが少ないゴミ箱の提供ができる。
【００２５】
さらに、本願の第１０の発明によれば、上記第１、第２の効果とともに、ゴミ箱本体の中心部に回転自在の支柱受孔を備える事により、後述する、第１１発明の台座との組合せが可能になる。
【００２６】
さらに、本願の第１１の発明によれば、上記第１０の発明のゴミ箱本体と支柱棒を備えた、台座とを組合せることにより、ゴミ箱本体ベアリング部と台座支柱棒とが圧着するので、ブレの少ない安定性のあるゴミ箱本体の回転を呈することができる。さらに、固着接地部を設けることにより、転倒しないゴミ箱を提供することができる。
【００２７】
さらに、本願の第１２の発明によれば、上記第１０の発明のゴミ箱本体と支柱棒を備えた水タンク式の台座とを組合せることにより、どの場所へでも容易に移動でき安定性のある、ブレが少ないゴミ箱の提供ができる。
【発明を実施するための最良の形態】
【００２８】
図１は、従来のゴミ箱の斜視図である、形状としては逆円錐台で、１っの収納容器が１っの収納形態を取っており、多種類のゴミを一緒に入れていた。これは過去において分別収集が行われていなかった結果である。近年になり分別収集が進み、以前の形状のゴミ箱では要を足さなくなってきました。そこで発明者が考案いたしました、ゴミ箱を使用すると、容易に数種類のゴミを分別収納が可能になります。又、ゴミ袋に入れ替える必要もなくそのまま指定ゴミとして出す事ができます。
【００２９】
以下、本願発明における実施の形態を図面に基づいて説明する。図２は、第１の実施の形態の斜視図を示す。ゴミ箱本体１０ａの形状としては、逆円錐台をしている。図２においては、３箇所のゴミ箱扉（１１ａ、１１ｂ、１１ｃ）が図示していますが、図示されていない部分にも２箇所のゴミ箱扉があります。又、それどれのゴミ箱扉の内側は５箇所のゴミ収納容器になっている。（図３参照、各ゴミ収納容器は、ゴミ収納容器１、ゴミ収納容器２、ゴミ収納容器３、ゴミ収納容器４、ゴミ収納容器５と５箇所に分れており、さらに、各ゴミ収納容器には、ゴミ箱扉１１ａ、ゴミ箱扉１１ｂ、ゴミ箱扉１１ｃ、ゴミ箱扉１１ｄ、ゴミ箱扉１１ｅが備わっている。）
【００３０】
さらに、各ゴミ箱扉には、屋根ゴミ投入口蓋１２ａ、屋根ゴミ投入口蓋１２ｂ、屋根ゴミ投入口蓋１２ｃと、図示していない箇所にも、屋根ゴミ投入口蓋１２ｄ、屋根ゴミ投入蓋１２ｅが備わっています。又、各ゴミ箱扉を開閉するためには、扉ノブ１６の開放と頭頂雌螺子キャップ１３の開放が必要です。各ゴミ箱扉はゴミ袋の出し入れの役目とゴミ容器の前面側壁部としての役目があります。それどれの、ゴミ箱扉を開けるには扉ノブ１６を開くに回し、頭頂雌螺子キャップ１３を開放後、ゴミ箱扉を開けます。
【００３１】
又、各屋根ゴミ投入蓋より、ゴミを投入する時は、取手部１４を指で掴み持ち上げた後、投入口２５（図８参照）よりゴミを投げ入れる。なお、ラベルを各ゴミ扉に貼付してもよい、このラベルは各容器に入れるゴミの種類を文字、絵、イラスト等で表示したものであるので、投入間違いも少なくゴミを投入することができる。さらに、それぞれの、ゴミの回収日をゴミ扉に取り付けても良い。この回収日表示はラベルでも他の方法でも良い。
【００３２】
図３は、図２のＸ−Ｘの横断面を示す平面図である。ゴミ収容容器別に示すと、ゴミ収納容器１、ゴミ収納容器２、ゴミ収納容器３、ゴミ収納容器４、ゴミ収納容器５と５箇所に分れており、大きさの違う収容容器で構成しています。各収納容器を５箇所に区分けするため中央部６を基準に区分側壁１８ａを利用し区分構成しています。中央部６の区分構成位置は、図３で示す通り中央部に構成していますが、特に中央部の位置に限定しなくても良い。収納容器の大きさの違いはプラスチックゴミのように家庭で出るゴミの量を考慮に入れて、ゴミ収納容器１を大きく取っている。
【００３３】
図４は、図２におけるゴミ箱扉１１ａを開放した斜視図を示す。折曲支持具１７ａはゴミ箱扉１１ａを支持している。点線で示したゴミ箱本体１０ａの底部には、底部水抜き３２を備えている。又、ゴミ収納容器１にゴミが満載してくると、ゴミ箱扉１１ａを圧迫し扉の開閉に支障をきたすので、直接圧力がゴミ箱扉１１ａに加わらないように扉補助部２８を備えている。又、各ゴミ箱扉に折曲支持具１７ａを備えており、さらに、各屋根ゴミ投入口蓋にも、折曲支持具１７ｂを備えている。
【００３４】
又、先端雄螺子部３０は、各ゴミ箱扉の先端部５ヶ所が一箇所に合わさって先端雄螺子部３０を形成している。ゴミ袋止め２９は、さらに、ゴミ袋止め固定部６３とゴミ袋止め圧迫移動部６４からなっている。ゴミ袋止め固定部６３は区分側壁１８ａ及びゴミ箱扉１１ａの内壁部に固着され、支持棒６５を介しゴミ袋止め圧迫移動部６４を支持している。なお、ゴミ袋止め２９は各ゴミ収納容器の上部に備わっている。ゴミ袋を取り付けたり取外したりする時は、ゴミ袋の端を手で持つと伴に、ゴミ袋止め圧迫移動部６４を少し持ち上げることにより、出来た隙間にゴミ袋の端を挟み込みます。扉ノブ１６は扉補助部２８の側端部に嵌り込む事により、着脱し扉の開閉を行ないます。区分側壁１８ａは各容器を区分する仕切壁にもちいています。
【００３５】
図５は、図４におけるゴミ収納容器１にゴミ袋を取りつけた斜視図である。ゴミ袋止め圧迫移動部６４にゴミ袋の端が取りつけられ、ゴミ袋の底部がゴミ収納容器の底部と接している。又、図５で示す通り、ゴミ箱扉１１ａにゴミ袋止め２９を設けているが、ゴミ袋はまだ取りつけられていない状態である。これはゴミ箱扉１１ａを閉め、扉ノブ１６をかけた後に、ゴミ箱扉１１ａの屋根部に設けている、屋根ゴミ投入口蓋１２ａを手で持ち上げ、開放した状態で投入口２５（図８参照）より手を入れて、手探りでゴミ袋の端を掴むと伴にゴミ袋止め圧迫移動部６４を少し持ち上げながら、ゴミ袋の端をゴミ袋止め圧迫移動部６４に挟む事によりゴミ袋を取りつけます。反対にゴミ袋を取外すときも投入口２５より手を入れ手探りでゴミ袋止め圧迫移動部６４よりゴミ袋を取外し、ゴミ箱扉１１ａを開けます。同じように各ゴミ収納容器２、３、４、５も同様とする。又、後述する、図１０のゴミ箱扉１１ｇに設けたポケット投入口２１については、押し引き両方の内外両開きでも良いし、手で持ち上げる投入口２５と同じ構成の外開きでも良い。
【００３６】
図６は、図２におけるゴミ箱本体１０ａの平面図である。図６において頭頂雌螺子キャップ１３は、図４で示した、先端雄螺子部３０に押し螺子方式で固着を行っている。区分側壁１８ａは、ゴミ箱本体１０ａに５箇所備わっており、各収納容器を区分けする仕切壁になっている。又、各ゴミ箱扉には、屋根ゴミ投入口蓋１２ａ、１２ｂ、１２ｃ、１２ｄ、１２ｅを備えている。
【００３７】
図７は、図２におけるゴミ箱本体１０ａを下方より示した斜視図である。ゴミ箱本体１０ａの底縁部に設けた、底縁雌螺子部２６の雌螺子はゴミ箱の底縁部１９の内側壁に形成されており、後述する図１１、図１５、図２９、図３１、図３７の台座の雄螺子部と丁度嵌り合う形状をしている。なお、底縁雌螺子部２６は台座との組み合わせに必要とするものであるので、ゴミ箱本体単独で使用するときは、底縁雌螺子部２６は無くとも良い。
【００３８】
図８は、図２におけるゴミ箱本体１０ａの屋根ゴミ投入口蓋１２ａを開放した斜視図である。屋根ゴミ投入口蓋１２ａの端部には蓋湾曲部２３が設けられ下部方向に湾曲している。又、相対する蓋受部２４は上部方向に湾曲しており、屋根ゴミ投入口蓋１２ａを閉める事により、蓋湾曲部２３が蓋受部２４に丁度覆さる形で蓋が閉じるので、雨水が浸入しない形状の構成をしている。
【００３９】
図９は、本願発明の第２の実施の形態に係るゴミ箱本体１０ｂの斜視図を示す。ゴミ箱本体１０ｂは、前記第１実施形態のゴミ箱本体１０ａと比較してみると、ゴミ箱本体１０ａの本体部分を上方向へ引き伸ばした形状をしている。引き伸ばした分だけ各ゴミ収納スペースが縦長になり収納能力も増す。その縦長に膨張したゴミ箱本体１０ｂの正面に位置する、ゴミ収納容器（図２に示す、ゴミ収納容器１と同じような場所）の適当な場所に区切段２２を１箇所設ける事により2箇所（ゴミ収納容器１ａ、ゴミ収納容器１ｂ）のゴミ収納容器が出きる。又、必要に応じて、区切段２２を設けない事も出来る（ゴミ収納容器１ｆ）。又、区切段２２を2箇所設ける事により３箇所（ゴミ収納容器１ｃ、ゴミ収納容器１ｄ、ゴミ収納容器１ｅ）のゴミ収納容器ができる。これらは、収納容器を縦長にして使用する事により、収納スペースや収納区画を増やすのに役立ちます。
【００４０】
すなわち、区切段２２を設ける事により、収納容器の数を増やし同等数のゴミ箱扉も増やしている。これは今後ゴミ分別の回収品目が多様化し、ゴミの大きさも大小出てくるのに適している。（例えば乾電池など小さいゴミは収納能力の小さいゴミ収容容器１ｃに投入し、プラスチック製品など大きいが軽いゴミなどは、収納能力の大きいゴミ収納容器１ｆに収納すると、とても便利である。）
【００４１】
ゴミ箱本体１０ｂの形状の１っとして区切段のない、上下一体型のゴミ収納容器１ｆがあり、そのゴミ収納容器には、ゴミ箱扉１１ｋ及び屋根ゴミ投入口蓋１２ｃが備わっている。又、上下２箇所使用のゴミ収納容器の内、上段のゴミ箱収納容器１ａの場合はゴミ箱扉１１ｆ及び屋根ゴミ投入口蓋１２ａが備わっている。下段のゴミ収納容器１ｂの場合はゴミ箱扉１１ｇ及びポケット投入口２１が備わっている。又、上中下を３箇所にして使用するゴミ収納容器の内、上段のゴミ収納容器１ｃの場合は、ゴミ箱扉１１ｈ及び屋根ゴミ投入口蓋１２ｂが備わっている。又、中段のゴミ収納容器１ｄの場合は、ゴミ箱扉１１ｉ及びポケット投入口２１が備わっている。さらに、下段のゴミ収納容器１ｅの場合は、ゴミ箱扉１１ｊ及びポケット投入口２１が備わっている。又、図９の図示していない個所にも同様にゴミ収納容器、ゴミ箱扉、屋根ゴミ投入口蓋、ポケット投入口を備えている。
【００４２】
図１０は、図９におけるゴミ箱扉１１ｆ及びゴミ箱扉１１ｇを開放した斜視図を示す。区切段２２は上下のゴミ収納容器を区分している。さらに、上部のゴミ収納容器１ａと下部のゴミ収納容器１ｂには、底部水抜き３２を兼ね備えている。ポケット投入口２１には、折曲支持具１７ｃを備えている。（ゴミ袋止め２９については、図４、図５説明文参照。）
【００４３】
図１１は、本願発明の第３の実施の形態に係る、台座４３ａの斜視図を示す。台座４３ａは、上蓋４１ａと下蓋４２ａとの組み合わせからなる。上蓋４１ａの天場には、雄螺子部３８が形成されている。雄螺子部３８は前記で述べた図７に示す、ゴミ箱本体１０ａの底縁部１９の内側壁に形成された底縁雌螺子部２６と丁度嵌り合い固着するよう構成されている。
【００４４】
図１２は、図１１における下蓋４２ａの斜視図を示す。挿入棒３６は、後述する図１３に示す、上蓋４１ａの中央部に形成されている、挿入受入固着筒３７に丁度嵌り合うように形成されている。さらに、ベアリング球ガイド溝３５を備えている。
【００４５】
図１３は、図１１における上蓋４１ａの斜視図を示す。上蓋４１ａの天井部には、下方に向かって円を描くようにベアリング球支え台３３が８箇所形成されている。ベアリング球支え台３３は、さらにベアリング球３４を保持している。上蓋４１ａの中央部に形成された、挿入受入固着筒３７と下蓋４２ａの挿入棒３６とを嵌り合せ固着する事により、上下の蓋が組み合わされ、ベアリング球３４は下蓋４２ａに形成されたベアリング球ガイド溝３５に嵌り込みベアリング球３４が回転する。このことにより上蓋４１ａも回転する。なお、ベアリング球支え台の数を８箇所形成しているが、それより多くても少なくても良い。
【００４６】
図１４は、図１１における台座４３ａとゴミ箱本体１０ａとの組み合わせによる斜視図である。図示していない台座４３ａの雄螺子部３８（図１１参照）に、ゴミ箱本体１０ａの底縁部１９に設けた底縁雌螺子部２６（図７参照）とを押し螺子方式で固着している。
【００４７】
図１５は、図１１における台座４３ａに止め孔２０と回転止め具３９とを備えた台座４３ｂの斜視図である。台座４３ｂは上蓋４１ｂと下蓋４２ｂとの組み合わせからなる。上蓋４１ｂの天場には、雄螺子部３８と外壁部に止め孔２０が備わっている。又、下蓋４２ｂの外壁部には、回転止め具３９が備わっている。さらに、回転止め具３９には、止め上板６６、止め下板６７、突起部４９及び折曲支持具１７ｄと、スプリングバネ４０から構成されている。
【００４８】
回転止め具３９の作用として、常時は、スプリングバネ４０の反発力により、止め上板６６が押し上げられ、それに伴って突起部４９も押されて、上蓋４１ｂの止め孔２０に突起部４９が嵌り込んでいる。そのことによって上蓋４１ｂの回転が止められている。反対に上蓋４１ｂを回転させて、ゴミ収納容器（図１８参照）の位置を移動したい時は、止め上板６６を足で踏み、フリーの状態にした後、ゴミ箱本体を手で回して位置をかえる。
【００４９】
図１６は、図１５における台座４３ｂの上蓋４１ｂの斜視図である。構成としては、１３図で示した上蓋４１ａの外壁部に止め孔２０を加えたものである。
【００５０】
図１７は、図１５における台座４３ｂの下蓋４２ｂの斜視図である。構成としては、１２図で示した下蓋４２ａの外壁部に回転止め具３９を加えたものである。
【００５１】
図１８は、図１５における台座４３ｂとゴミ箱本体１０ａとの組み合わせによる斜視図である。上蓋４１ｂの止め孔２０に、下蓋４２ｂの回転止め具３９に備えた突起部４９が嵌り、上蓋４１ｂの回転を止めている。
【００５２】
図１９は、本願発明の第４の実施の形態に係る台座４３ｃの斜視図を示す。台座４３ｃは、後述べする図２０の基礎元部５０ａに、図２１で示す、リングジョイント４５ａ又は、図２２で示す、リングジョイント４５ｂのどちらかとの組み合わせからなる。組み合わせ方法としては、基礎元部５０ａの基礎元内壁部６８にリングジョイント４５ａ若しくはリングジョイント４５ｂの外壁部４８を貼り付けて固着する。なお、貼りつけ方法は接着剤等を使用する。
【００５３】
又、本願第４発明の目的はあらゆる斜面地に対応設置できるゴミ箱の提供である。その為には、後述べする図２０に示す、基礎元部５０ａの天場に位置する、天場上端部７２の傾斜角度の形状を一定とせず、角度の違う天場上端部７２を要した、基礎元部５０ａを数種類用意し、各家庭で設置しょうとする設置場所の傾斜角度に近い基礎元部５０ａを購入して設置する。さらに傾斜角度の微調整のため基礎元部５０ａにリングジョイント４５ａ又は、４５ｂを基礎元内壁部６８に貼り付け固着する。
【００５４】
さらに、基礎元部５０ａの基礎元内壁部６８は半球形状で丸みを帯びている。これは、リングジョイント４５ａ又は、リングジョイント４５ｂを水平にして貼りつける時に、基礎元内壁部６８の内壁部を水平調節のため，リングジョイント４５ａ及び４５ｂを上下左右に移動しても、嵌り合う間隔が一定に保たれ、隙間なく貼り付けるのに適している。その理由は、リングジョイント４５ａ又はリングジョイント４５ｂの外壁部４８も、基礎元内壁部６８と同じ角度での半球形状をしている。なお、リングジョイント４５ａ又はリングジョイント４５ｂは可逆的材質であり、取りつけするのに内側に折り曲がるので、貼り付け固着する事が容易にできる。又、可逆的材質でなくても良い。
【００５５】
又、リングジョイント４５ａはリング形状であるが、リングジョイント４５ｂは、リング形状ではなくベルト形状である。ベルト形状の方が基礎元部５０ａの基礎元内壁部６８に貼り合わせが容易である。又、貼り合わせるとき、若干長さの誤差が生じても容易に対処できる。例えば、少し短くても十分雌螺子の役目ができ、又、長すぎても、切断が可能で適当な長さにして貼り合わせができる。
【００５６】
図２０は、図１９における基礎元部５０ａの斜視図を示す。基礎元内壁部６８は半球形状の丸みを帯びている。可逆的クッション材５１は突起物を包み込み接地面に隙間をつくらない構造である。接地固着面５２は接着剤等を最初から塗ってあっても良いし、後から塗り込んでも良い。天場上端部７２は斜めにカットされている。
【００５７】
図２１は、図１９におけるリングジョイント４５ａの斜視図を示す。リングジョイント４５ａはリング形状である。雌螺子部４７は、後述する、図２３で示すゴミ箱本体１０ｃの底縁雄螺子部６９と、押し螺子方式により組合せる。リングジョイントの外壁部４８は半球形状で丸みを帯びており、基礎元内壁部６８に接着剤等により固着する。固着は最初から接着剤等を塗ってあっても良いし、後から塗っも良い。（雌螺子部４７は、後述する図３１の雄螺子部４４とも嵌り合う形状をしている。）
【００５８】
図２２は、図１９におけるリングジョイント４５ｂの斜視図を示す。リングジョイント４５ｂはベルト形状で端末部５７を備えており、基礎元内壁部６８に固着する。固着後、雌螺子部４７に、ゴミ箱本体１０ｃの底縁雄螺子部６９とを押し螺子方式で組合せる。リングジョイント外壁部４８は丸みを帯びており、接着剤を塗っている。（最初から接着剤等を塗ってあっても良いし、後から塗っても良い。）
【００５９】
図２３は、ゴミ箱本体１０ｃの斜視図を示す。ゴミ箱本体１０ｃには、底縁部の外壁に底縁雄螺子部６９を備えている。
【００６０】
図２４は、図１９における台座４３ｃとゴミ箱本体１０ｃとの組合せによる斜視図を示す。
【００６１】
図２５は、台座４３ｄの斜視図を示す。台座４３ｄは、図１９で示した台座４３ｃの構成に加え、接地固着座金５３を備えている。接地固着座金５３には座金孔５６を設けており、その座金孔５６にボルト５４を貫通し、既に斜面地に埋め込まれている、地面固定ナット部５５に押し螺子方式で固着する。接地面固着の方法としては、図２０で示した接地固着面５２に接着剤等を使用するのに加え、ボルト等を使った地面との固着を行う事により、固着の2重ロックを行ないます。又、接着剤等を使用しなくても、ボルト固着だけでも良い。
【００６２】
図２６は、図２５における台座４３ｄとゴミ箱本体１０ｃとの組み合わせによる斜視図を示す。台座４３ｄはボルト等により地面固着を行っており、さらに、水平調節としてリングジョイント４５ａ又は４５ｂを固着後、雌螺子部４７とゴミ箱本体１０ｃとを押し螺子方式により固着を行っている。
【００６３】
図２７は、本願発明の第５の実施の形態に係る台座４３ｅの斜視図を示す。台座４３ｅは水タンク式の台座である。タンクの内部は空洞であり、給排水口栓７１を備えている。この給排水口栓７１は、タンク内に水を注入して満水にした後にする栓である。台座４３ｅは水を注入する事によって台座に重量を持たせる。そのことにより、後述する図２８に示す、ゴミ箱本体１０ｃ内のゴミが満載になっても、台座４３ｅの重量によって、安易な転倒はなくなり立脚姿勢を保持する。雌螺子部４７は、ゴミ箱本体１０ｃの底縁雄螺子部６９が嵌り込み、押し螺子方式で固着する形状なっている。
【００６４】
図２８は、図２７における台座４３ｅとゴミ箱本体１０ｃとの組み合わせによる、斜視図を示す。
【００６５】
図２９は、本願発明の第６の実施の形態に係る台座４３ｆを斜面地に固着した処の斜視図を示す。台座４３ｆの構成としては、後述べする、図３０で示す基礎元部５０ｃと図３１で示す回転板ジョイント４６ａとの組み合わせによるものである。基礎元部５０ｃの回転止め具３９の先端に位置する突起部４９が回転板ジョイント４６ａの上蓋４１ｃの止め孔２０に丁度嵌り込み、上蓋４１ｃの回転が止まっている状態である。又、ボルト５４は接地固着座金５３の座金孔５６を貫通し、地面固定ナット部５５と押し螺子方式により固着する。
【００６６】
図３０は、基礎元部５０ｃの斜視図を示す。基礎元部５０ｃは、後述べする、図３２で示す、基礎元部５０ｂに、図２１で示した、リングジョイント４５ａ又は、図２２で示した、リングジョイント４５ｂを固着したものである。構成としては、図２５で示した台座４３ｄの外壁部に、回転止め具３９を取り付けている。回転止め具３９の止め下板６７は、基礎元部５０ｃの外壁部に固着されている。止め下板６７と止め上板６６とは折れ曲がり支持具１７ｄを介しいる。さらに、スプリングバネ４０を、折曲支持具１７ｄの間に設けているので、止め上板６６を足で踏む事により、止め上板６６の上端に設けてある突起部４９が前後に移動する。突起部４９が移動する事により、図２９で示す通り、止め孔２０より突起部４９が外れ回転板ジョイント４６ａの上蓋４１ｃが回転自由になる。
【００６７】
図３１は、回転板ジョイント４６ａの斜視図を示す。回転板ジョイント４６ａは上蓋４１ｃと下蓋４２ｃとの組み合わせから構成している。（図１１、図１２、図１３参照）上蓋４１ｃの外枠下部には、止め孔２０が備わり、上部天場には雄螺子部３８が備わっている。上蓋４１ｃの雄螺子部３８は、ゴミ箱本体１０ａ及びゴミ箱本体１０ｂの底縁の内壁部に設けられている、底縁雌螺子部２６と、押し螺子方式で丁度嵌り込む形状をしている。又、下蓋４２ｃの下部には雄螺子部４４が設けられ、図３０で示した、雌螺子部４７と押し螺子方式で丁度嵌り込む形状をしている。この方法を採用することにより、ごみ箱本体を直接ごみ箱基礎部に固定するのではなく（図２４参照）回転板ジョイント４６ａを介する事により、ごみ箱本体１０ａ及び１０ｂが回転する。なお雄螺子部３８と雄螺子部４４との形状の大きさは一緒でも良いし、別々でも良い。
【００６８】
図３２は、基礎元部５０ｂの斜視図を示す。基礎元部５０ｂは図３０で述べた、基礎元部５０ｃの形状の状態より、図２１で示した、リングジョイント４５ａ又は、図２２で示した、リングジョイント４５ｂの何れかを取外した形状をしている。反対に説明すると、基礎元部５０ｂにリングジョイント４５ａ又は、４５ｂの何れかを固着すると、基礎元部５０ｃの構成になる。
【００６９】
図３３は、図２９における、台座４３ｆにゴミ箱本体１０ａ又は、ゴミ箱本体１０ｂを組み合わせた処の斜視図を示す。図２９で示す、台座４３ｆの上蓋４１ｃの雄ネジ部３８にゴミ箱本体１０ａ又は、ゴミ箱本体１０ｂを押し螺子方式で固着したものである。
【００７０】
図３４は、基礎元部５０ｄの斜視図を示す。基礎元部５０ｄは、図３２で示した基礎元部５０ｂを原型にして、段階的に基礎元部５０ｆを形成する。その為には、基礎元部５０ｆの側壁に支持貫通孔５８ｂ及び連続支持貫通孔５９を設けることで、基礎元部５０ｆを形成している。さらに、基礎元部５０ｆに組合せとして、後述する図３５に示す、リングジョイント４５ｃに設けた支持貫通孔５８ａを介して、皿ビス６０、丸ワッシャー６１、及びナット６２を使い、リングジョイント４５ｃを固着することにより、基礎元部５０ｄを構成している。
【００７１】
又、リングジョイント４５ｃの固着はできるだけ水平に取りつける。取り付け要領としては、先にリングジョイント４５ｃの支持貫通孔５８ａと基礎元部５０ｆの支持貫通孔５８ｂを仮止めし、次にリングジョイント４５ｃを水平にしながら支持貫通孔５８ａと基礎元部５０ｆの連続支持貫通孔５９とを固着する。その後に仮止めした、前記記載の支持貫通孔５８ａと５８ｂを完全に固着する。さらに、次の段階として基礎元部５０ｄに、図３１の回転板ジョイント４６ａ及び、後述する図４２の回転板ジョイント４６ｂ及び図４９の回転板ジョイント４６ｃとを組み合わせることにより、台座が完成する。
【００７２】
図３５は、リングジョイント４５ｃの斜視図を示す。リングジョイント４５ｃの側壁部に支持貫通孔５８ａを設け、さらに、リングジョイント４５ｃの内壁部には、雌螺子部４７が設けられている。
【００７３】
図３６は、基礎元部５０ｄを斜面地に固定した処の斜視図を示す。基礎元部５０ｄを斜面地に固定するため、接地固着座金５３の座金孔５６を介して、ボルト５４を差し込み、地面固定ナット部５５に、押し螺子方式で固定している。又、リングジョイント４５ｃにおいは、皿ビス６０、ナット６２、丸ワッシャー６１を使い基礎元部５０ｆに固着している。
【００７４】
図３７は、台座４３ｇの斜視図を示す。台座４３ｇは、後述する、図３８に示す、基礎元部５０ｅと図３１に示す回転板ジョイント４６ａとの組み合わせによるものである。基礎元部５０ｅの雌螺子部４７に、回転板ジョイント４６ａの雄螺子部４４を押し螺子方式で固着している。又、回転止め具３９の突起部４９は、回転板ジョイント４６ａの上蓋４１ｃの止め孔２０に嵌り込み、回転を止めている状態である。（回転板ジョイント４６ａの内部構造は図１６、図１７参照）
【００７５】
図３８は、基礎元部５０ｅの斜視図を示す。基礎元部５０ｅの内壁部には雌螺子部４７が備わっており、天場には、給排水口７１が備わり、この給排水口７１より水を注入し基礎元部５０ｅ（水タンク）に重量を与える。外壁部には回転止め具３９（図３０参照）を備えている。
【００７６】
図３９は、台座４３ｇにゴミ箱本体１０ａを組み合わせた処の斜視図を示す。図３７に示す台座４３ｇの上蓋４１ｃの雄螺子部３８に、ゴミ箱本体１０ａの底縁雌螺子部２６を押し螺子方式で固着している。又、図３９では、台座４３ｇにゴミ箱本体１０ａを取り付けているが、ゴミ箱本体１０ｂを採用しても良い。
【００７７】
図４０は、本願発明の第７の実施の形態に係るゴミ箱本体１０ｄの斜視図を示す。図２で示した、ゴミ箱本体１０ａの底部中央部に支柱棒７５ａを設けることにより、ゴミ箱本体１０ｄの形態を取っている。さらに、底部外壁縁部に底縁止め孔部７４を設けている。（ゴミ箱１０ｄの原型はゴミ箱１０ａを採用しているが、ゴミ箱１０ｂでも良い。）
【００７８】
図４１は、本願発明の第８の実施の形態に係る台座４３ｈの斜視図を示す。台座４３ｈは、図３０で示した基礎元部５０ｃと、後述する図４２の回転板ジョイント４６ｂとの組合せからなる。基礎元部５０ｃの雌螺子部４７に、回転板ジョイント４６ｂの雄螺子部４４を押し螺子方式で固着している。
【００７９】
図４２は，回転板ジョイント４６ｂの斜視図を示す。回転板ジョイント４６ｂは、円柱型をしており、天場の中央部より下部にかけて支柱受孔７６ａが設けられている。その支柱受孔７６ａの上端部にベアリング７７ａの一部先端が天場より突き出でている。さらに、図４０で示した、支柱棒７５ａをベアリング７７ａの中央部孔７３より挿入し、支柱受孔７６ａを貫通して、下端部に設けている（点線で示す）ベアリング７７ｂの中央部孔７３の位置まで挿入後、下げ止まりになり、ベアリング７７ｂに圧着するよう設けている。
【００８０】
又、回転板ジョイント４６ｂの外周部の中間より下部は、雄螺子部４４となっている。さらに、中間より上部は外枠円柱部７０になっている。外枠円柱部７０の外周の大きさは、下部の雄螺子部４４の外周より少し小さくなつている。これは、図４１で示す、台座４３ｈに設置している、回転板ジョイント４６ｂに、図４０に示すゴミ本体１０ｄを取り付けるのに、ゴミ箱本体１０ｄの底縁止め孔部７４の内壁と、回転板ジョイント４６ｂの外枠円柱部７０の外壁とが接触して摩擦するのを防ぐためである。
【００８１】
図４３は、台座４３ｈとゴミ箱本体１０ｄとの組合せによる斜視図を示す。ゴミ箱本体１０ｄの底縁止め孔部７４に、台座４３ｈの回転止め具３９の突起部４９が嵌り込み、ゴミ箱本体１０ｄの回転を止めている。
【００８２】
図４４は、本願発明の第９の実施の形態に係る台座４３ｉの斜視図を示す。台座４３ｉは水タンク式であり、天場には、給排水口栓７１を備えている。天場中央には支柱受孔７６ｂを設けており、その支柱受孔７６ｂは、細長い孔になっている。孔の上部には、ベアリング７７ａを備え、底部にはベアリング７７ｂを備えている。上部のベアリング７７ａは、天場より少し上に突き出している、その突き出しているベアリング７７ａの中央部孔７３の部分より、図４０で示した、ゴミ箱本体１０ｄの支柱棒７５ａを挿入し、台座４３ｉの下部に位置するベアリング７７ｂの中央部孔７３まで、とどくように完入する事により、ゴミ箱本体１０ｄを圧着設置する。又、天場よりベアリング７７ａが突き出しているのは、ゴミ箱本体１０ｄと台座４３ｉとを組合せた時、ゴミ箱本体底部と台座の天場に隙間が出来ることにより、回転が容易になる。さらに台座４３ｉの外壁部には回転止め具３９を備えている。
【００８３】
図４５は、台座４３ｉにゴミ箱本体１０ｄを組合せ固着した処の斜視図である。台座４３ｉとゴミ箱本体１０ｄとを固着することにより、回転自由で安定感のある、ゴミ箱ができる。又、ゴミ箱本体１０ｄの底縁部には、底縁止め孔部７４が設けられており、台座４３ｉの外壁部に設けられている、回転止め具３９の突起部４９が、底縁止め孔部７４に嵌り込む事によってゴミ箱本体１０ｄの回転を止めている。
【００８４】
図４６は、本願発明の第１０の実施の形態に係るゴミ箱本体１０ｅの斜視図を示す。図２で示した、ゴミ箱本体１０ａの中央部に支柱受孔７６ｃを設けることにより、ゴミ箱本体１０ｅの形態を取っている。さらに、支柱受孔７６ｃは細長い孔になり、孔の上部にはベアリング７７ｂを有し、下部にはベアリング７７ａを有している。下部のベアリング７７ａはゴミ箱本体１０ｅの底部に位置し、底部より少し突き出た形状をしている。その突き出ているベアリング７７ａの中央部孔７３の孔より、後述べする、図４８及び図４９の回転板ジョイント４６ｃの支柱棒７５ｂを挿入し、上部に位置するベアリング７７ｂの中央部孔７３まで支柱棒７５ｂを挿入することにより固着完入する。そのことにより、回転板ジョイント４６ｃとゴミ箱本体１０ｅとを圧着する。（ゴミ箱１０ｅの原型はゴミ箱１０ａを採用しているが、ゴミ箱１０ｂでも良い）
【００８５】
図４７は、ゴミ箱本体１０ｅのゴミ箱扉１１ａを開放した処の斜視図を示す。ゴミ収納容器１ｇの中央部に形成された支柱受孔７６ｃの外枠壁は半扇型円柱形状をしている。
【００８６】
図４８は本願発明の第１１の実施の形態に係る台座４３ｊの斜視図を示す。台座４３ｊは、図３０で示した、基礎元部５０ｃと後述する、図４９の回転板ジョイント４６ｃとの組合せからなる。基礎元部５０ｃの雌螺子部４７に回転板ジョイント４６ｃの雄螺子部４４を押し螺子方式で固着している。
【００８７】
図４９は，回転板ジョイント４６ｃの斜視図を示す。回転板ジョイント４６ｃは、天場中央部に支柱棒７５ｂが備わっている。支柱棒７５bの直径と長さは、図４６及び図４７で示すように、支柱受孔７６ｃに丁度嵌り込む大きさであるり、ベアリング７７ｂまで達し中央部孔７３にて完入圧着する。又、回転板ジョイント４６ｃの外枠中間部より下部は雄螺子部４４になっており、さらに外枠中間部より上部は外枠円柱部７０になっている。上部の外枠円柱部７０の大きさは、下部の雄螺子部４４より少し小さい円になつている。これは、図４８で示す台座４３ｊに、図４６で示す、ゴミ本体１０ｅを取り付けた時に、底縁止め孔部７４が台座４３ｊの内壁に接触して回転を邪魔するのを防ぐために、少し小さくしている。
【００８８】
図５０は、本願発明の第１２の実施の形態に係る台座４３ｋの斜視図を示す。台座４３ｋは水タンク式であり、天場には給排水口栓７１を備え、天場中央部に支柱棒７５ｃが備えており、外壁部には回転止め具３９を有している。その支柱棒７５ｃを図４６で示す、ゴミ箱本体１０ｅの底中央部に位置するベアリング７７ａの中央部孔７３より、支柱棒７５ｃを挿入する。さらに、上部に位置するベアリング７７ｂの中央部孔７３まで挿入し、完入圧着することにより、ゴミ箱本体１０ｅと台座４３ｋとを組み合わせる。（図４５参照）
【図面の簡単な説明】
【００８９】
【図１】従来のゴミ箱の斜視図である。
【図２】第１の実施の形態の斜視図を示す。
【図３】図２のＸ−Ｘの横断面を示す平面図である。
【図４】図２におけるゴミ投入扉１１ａを開放した斜視図を示す。
【図５】図４におけるゴミ収納容器１にゴミ袋を取りつけた斜視図である。
【図６】図２におけるゴミ箱本体１０ａの平面図である。
【図７】図２におけるゴミ箱本体１０ａを下方より示した斜視図である。
【図８】図２におけるゴミ箱本体１０ａの屋根ゴミ投入口蓋１２ａを開放し                  た斜視図である。
【図９】本願発明の第２の実施の形態に係るゴミ箱本体１０ｂの斜視図を示す。
【図１０】図９におけるゴミ箱扉１１ｆ及びゴミ箱扉１１ｇを開放した斜視図を                  示す。
【図１１】本願発明の第３の実施の形態に係る、台座４３ａの斜視図を示す。
【図１２】図１１における下蓋４２ａの斜視図を示す。
【図１３】図１１における上蓋４１ａの斜視図を示す。
【図１４】図１１における台座４３ａとゴミ箱本体１０ａとの組み合わせによる                  斜視図である。
【図１５】図１１における台座４３ａに止め孔２０と回転止め具３９とを備えた                  台座４３ｂの斜視図である。
【図１６】図１５における台座４３ｂの上蓋４１ｂの斜視図である。
【図１７】図１５における台座４３ｂの下蓋４２ｂの斜視図である。
【図１８】図１５における台座４３ｂとゴミ箱本体１０ａとの組み合わせによる                  斜視図である。
【図１９】本願発明の第４の実施の形態に係る台座４３ｃの斜視図を示す。
【図２０】図１９における基礎元部５０ａの斜視図を示す。
【図２１】図１９におけるリングジョイント４５ａの斜視図を示す。
【図２２】図１９におけるリングジョイント４５ｂの斜視図を示す。
【図２３】ゴミ箱本体１０ｃの斜視図を示す。
【図２４】図１９における台座４３ｃとゴミ箱本体１０ｃとの組合せによる斜                  視図を示す。
【図２５】台座４３ｄの斜視図を示す。
【図２６】図２５における台座４３ｄとゴミ箱本体１０ｃとの組み合わせによる                  斜視図を示す。
【図２７】本願発明の第５の実施の形態に係る台座４３ｅの斜視図を示す。
【図２８】図２７における台座４３ｅとゴミ箱本体１０ｃとの組み合わせによる、                  斜視図を示す。
【図２９】本願発明の第６の実施の形態に係る台座４３ｆを斜面地に固着した処                      の斜視図を示す。
【図３０】基礎元部５０ｃの斜視図を示す。
【図３１】回転板ジョイント４６ａの斜視図を示す。
【図３２】基礎元部５０ｂの斜視図を示す。
【図３３】図２９における、台座４３ｆにゴミ箱本体１０ａ又は、ゴミ箱本体１                  ０ｂを組み合わせた処の斜視図を示す。
【図３４】基礎元部５０ｄの斜視図を示す。
【図３５】リングジョイント４５ｃの斜視図を示す。
【図３６】基礎元部５０ｄを斜面地に固定した処の斜視図を示す。
【図３７】台座４３ｇの斜視図を示す。
【図３８】基礎元部５０ｅの斜視図を示す。
【図３９】台座４３ｇにゴミ箱本体１０ａを組み合わせた処の斜視図を示す。
【図４０】本願発明の第７の実施の形態に係るゴミ箱本体１０ｄの斜視図を示す。
【図４１】本願発明の第８の実施の形態に係る台座４３ｈの斜視図を示す。
【図４２】回転板ジョイント４６ｂの斜視図を示す。
【図４３】台座４３ｈとゴミ箱本体１０ｄとの組合せによる斜視図を示す。
【図４４】本願発明の第９の実施の形態に係る台座４３ｉの斜視図を示す。
【図４５】台座４３ｉにゴミ箱本体１０ｄを組合せ固着した処の斜視図である。
【図４６】本願発明の第１０の実施の形態に係るゴミ箱本体１０ｅの斜視図を示                    す。
【図４７】ゴミ箱本体１０ｅのゴミ箱扉１１ａを開放した処の斜視図を示す。
【図４８】本願発明の第１１の実施の形態に係る台座４３ｊの斜視図を示す。
【図４９】回転板ジョイント４６ｃの斜視図を示す。
【図５０】本願発明の第１２の実施の形態に係る台座４３ｋの斜視図を示す。
【符号の説明】
【００９０】
１、２、３、４、５    ゴミ収納容器  
１ａ、１ｂ、１ｃ、１ｄ、１ｅ、１ｆ、１ｇ    ゴミ収納容器    
６  中央部
１０ａ、１０ｂ、１０ｃ、１０ｄ、１０ｅ    ゴミ箱本体
１１ａ、１１ｂ、１１ｃ、１１ｄ、１１ｅ、１１ｆ、１１ｇ、１１ｈ、１１ｉ、
１１ｊ、１１ｋ    ゴミ箱扉
１２ａ、１２ｂ、１２ｃ、１２ｄ，１２ｅ    屋根ゴミ投入口蓋
１３    頭頂雌螺子キャップ
１４    取手部
１５    湾曲部
１６    扉ノブ
１７ａ、１７ｂ、１７ｃ、１７ｄ    折曲支持具
１８ａ、１８ｂ      区分側壁
１９    底縁部
２０    止め孔
２１    ポケット投入口
２２    区切段
２３    蓋湾曲部
２４    蓋受部
２５    投入口
２６    底縁雌螺子部
２７    ゴミ袋
２８    扉補助部
２９    ゴミ袋止め
３０    先端雄螺子部
３１    扉厚み部
３２    底部水抜き
３３    ベアリング球支え台
３４    ベアリング球
３５    ベアリング球ガイド溝
３６    挿入棒
３７    挿入受入固着筒
３８    雄螺子部
３９    回転止め具
４０    スプリングバネ
４１ａ、４１ｂ、４１ｃ    上蓋
４２ａ、４２ｂ、４２ｃ    下蓋
４３ａ、４３ｂ、４３ｃ、４３ｄ、４３ｅ、４３ｆ、４３ｇ、４３ｈ、４３ｉ、      
４３ｊ、４３ｋ    台座  
４４    雄螺子部
４５ａ、４５ｂ、４５ｃ    リングジョイント
４６ａ、４６ｂ、４６ｃ    回転板ジョイント
４７    雌螺子部
４８    外壁部
４９    突起部
５０ａ、５０ｂ、５０ｃ、５０ｄ、５０ｅ、５０ｆ    基礎元部
５１    可逆的クッション材
５２    接地固着面
５３    接地固着座金
５４    ボルト
５５    地面固定ナット部
５６    座金孔
５７    端末部
５８ａ、５８ｂ    支持貫通孔
５９    連続支持貫通孔
６０    皿ビス
６１    丸ワッシャー        
６２    ナット
６３    ゴミ袋止め固定部
６４    ゴミ袋止め圧迫移動部
６５    支持棒
６６    止め上板
６７    止め下板
６８    基礎元内壁部
６９    底縁雄螺子部
７０    外枠円柱部
７１    給排水口栓
７２    天場上端部
７３    中央部孔
７４    底縁止め孔部
７５ａ、７５ｂ、７５ｃ    支柱棒
７６ａ、７６ｂ、７６ｃ    支柱受孔
７７ａ、７７ｂ    ベアリング
【図１】
2006111379.tif 000003
【図２】
2006111379.tif 000004
【図３】
2006111379.tif 000005
【図４】
2006111379.tif 000006
【図５】
2006111379.tif 000007
【図６】
2006111379.tif 000008
【図７】
2006111379.tif 000009
【図８】
2006111379.tif 000010
【図９】
2006111379.tif 000011
【図１０】
2006111379.tif 000012
【図１１】
2006111379.tif 000013
【図１２】
2006111379.tif 000014
【図１３】
2006111379.tif 000015
【図１４】
2006111379.tif 000016
【図１５】
2006111379.tif 000017
【図１６】
2006111379.tif 000018
【図１７】
2006111379.tif 000019
【図１８】
2006111379.tif 000020
【図１９】
2006111379.tif 000021
【図２０】
2006111379.tif 000022
【図２１】
2006111379.tif 000023
【図２２】
2006111379.tif 000024
【図２３】
2006111379.tif 000025
【図２４】
2006111379.tif 000026
【図２５】
2006111379.tif 000027
【図２６】
2006111379.tif 000028
【図２７】
2006111379.tif 000029
【図２８】
2006111379.tif 000030
【図２９】
2006111379.tif 000031
【図３０】
2006111379.tif 000032
【図３１】
2006111379.tif 000033
【図３２】
2006111379.tif 000034
【図３３】
2006111379.tif 000035
【図３４】
2006111379.tif 000036
【図３５】
2006111379.tif 000037
【図３６】
2006111379.tif 000038
【図３７】
2006111379.tif 000039
【図３８】
2006111379.tif 000040
【図３９】
2006111379.tif 000041
【図４０】
2006111379.tif 000042
【図４１】
2006111379.tif 000043
【図４２】
2006111379.tif 000044
【図４３】
2006111379.tif 000045
【図４４】
2006111379.tif 000046
【図４５】
2006111379.tif 000047
【図４６】
2006111379.tif 000048
【図４７】
2006111379.tif 000049
【図４８】
2006111379.tif 000050
【図４９】
2006111379.tif 000051
【図５０】
2006111379.tif 000052